(57)【要約】【課題】より早く火災の発生を検知することが可能な塵芥収集車の提供。【解決手段】車体上に搭載され、後方開口部を有する塵芥収容箱と、この塵芥収容箱の後方開口部に連設され、塵芥の投入口を有するとともに、この投入口から投入された塵芥を、後方開口部を経て塵芥収容箱に積み込む塵芥積込装置８を備えた塵芥投入箱５と、塵芥収容箱側と塵芥投入箱５側とに支持され、塵芥投入箱５を塵芥収容箱に対して傾動させる傾動シリンダ９と、傾動シリンダ９の下側を遮蔽する遮蔽板１３とを有する塵芥収集車であって、遮蔽板１３の上部に、煙が流入可能な煙流入孔を有する煙収容ボックス１６と、この煙収容ボックス１６内の煙を検知する煙検知装置１７とを備える。【選択図】図２
2010235306.tif 000002
【特許請求の範囲】
【請求項１】
車体上に搭載され、後方開口部を有する塵芥収容箱と、
この塵芥収容箱の後方開口部に連設され、塵芥の投入口を有するとともに、この投入口から投入された塵芥を、前記後方開口部を経て前記塵芥収容箱に積み込む塵芥積込装置を備えた塵芥投入箱と、
前記塵芥収容箱の塵芥室と前記塵芥投入箱の機械室とを区分けするように、前記塵芥投入箱の幅方向全体に亘って延設された遮蔽板とを有する塵芥収集車であって、
前記遮蔽板の上部に煙検知装置を備えた塵芥収集車。
【請求項２】
前記遮蔽板は、前記塵芥投入箱を前記塵芥収容箱に対して傾動させる傾動シリンダおよび前記塵芥積込装置の押込シリンダの下方に設けられたものである請求項１記載の塵芥収集車。
【請求項３】
前記遮蔽板は、前記塵芥積込装置の摺動板下方に設けられたものである請求項１記載の塵芥収集車。
【請求項４】
前記遮蔽板の上部に、煙が流入可能な煙流入孔を有する煙収容部と、この煙収容部内の煙を検知する煙検知装置とを備えた請求項２または３に記載の塵芥収集車。
【請求項５】
前記煙流入孔は、多数の開孔により形成されたものである請求項４記載の塵芥収集車。
【請求項６】
前記煙収容部は、密閉構造の煙収容ボックスに前記煙流入孔を形成したものである請求項４または５に記載の塵芥収集車。
【発明の詳細な説明】
【技術分野】
【０００１】
本発明は、塵芥を塵芥収容箱内に収容する塵芥収集車に係り、より詳しくは、塵芥を収容する塵芥収容箱内などで発生した火災を検知することが可能な塵芥収集車に関する。
【背景技術】
【０００２】
従来、塵芥を塵芥収容箱内に収容する塵芥収集車において、塵芥収容箱や、この塵芥収容箱の後方開口部に連設された塵芥投入箱内で、塵芥が発火して火災を起こした場合に、この火災の発生を検知し、警報ブザーにより知らせたり、噴射ノズルから消化剤を噴出したりするものが知られている。
【０００３】
例えば、特許文献１には、塵芥収集車の塵芥収容箱と塵芥投入箱のそれぞれの上部の角パイプチャンネル間より火災時に煙が流出しやすいことに鑑み、この塵芥収容箱と塵芥投入箱との隣接部分であって、塵芥収容箱上部のパイプチャンネル上部に光電式煙探知機を設置し、火災の発生を検知することが記載されている。
【先行技術文献】
【特許文献】
【０００４】
【特許文献１】特開２００３−２６３０３号公報（段落００１６、図４）
【発明の概要】
【発明が解決しようとする課題】
【０００５】
ところが、上記特許文献１に記載の光電式煙探知機の設置場所は、塵芥収容箱と塵芥投入箱との隣接部分の最上部であり、火災発生時に、この設置場所に煙が到達して検知されるのは、塵芥収容箱および塵芥投入箱内の上部が煙で満たされ、塵芥収容箱上部のパイプチャンネル上部へ漏れ出したときである。そのため、火災発生の検知が遅れてしまい、火災発生初期段階での消火が難しくなる。
【０００６】
そこで、本発明においては、より早く火災の発生を検知することが可能な塵芥収集車を提供することを目的とする。
【課題を解決するための手段】
【０００７】
本発明の塵芥収集車は、車体上に搭載され、後方開口部を有する塵芥収容箱と、この塵芥収容箱の後方開口部に連設され、塵芥の投入口を有するとともに、この投入口から投入された塵芥を、後方開口部を経て塵芥収容箱に積み込む塵芥積込装置を備えた塵芥投入箱と、塵芥収容箱の塵芥室と塵芥投入箱の機械室とを区分けするように、塵芥投入箱の幅方向全体に亘って延設された遮蔽板とを有する塵芥収集車であって、遮蔽板の上部に煙検知装置を備えたものである。
【０００８】
本発明によれば、塵芥収容箱または塵芥投入箱内で火災が発生すると、煙が遮蔽板の下面に沿って上昇し、この遮蔽板の上部の煙検知装置によりいち早く検知される。
【０００９】
ここで、遮蔽板は、塵芥投入箱を塵芥収容箱に対して傾動させる傾動シリンダおよび塵芥積込装置の押込シリンダの下方に設けられたものであることが望ましい。これにより、塵芥収容箱の塵芥室と、傾動シリンダおよび押込シリンダとが、遮蔽板により区分けされるので、塵芥収容箱の塵芥室内の塵芥が傾動シリンダおよび押込シリンダ側に侵入して悪影響を及ぼすことが防止される。
【００１０】
あるいは、遮蔽板は、塵芥積込装置の摺動板下方に設けられたものであることが望ましい。これにより、塵芥収容箱の塵芥室と、塵芥積込装置の摺動板とが、遮蔽板により区分けされるので、塵芥収容箱の塵芥室内の塵芥が塵芥積込装置の摺動板側に侵入して悪影響を及ぼすことが防止される。
【００１１】
また、本発明の塵芥収集車は、遮蔽板の上部に、煙が流入可能な煙流入孔を有する煙収容部と、この煙収容部内の煙を検知する煙検知装置とを備えたものであることが望ましい。これにより、塵芥収容箱または塵芥投入箱内で火災が発生すると、煙が遮蔽板の下面に沿って上昇し、この遮蔽板の上部に備えられた煙収容部内へ煙流入孔から流入する。これにより、煙収容部内がいち早く煙に満たされるようになり、煙検知装置により早く煙が検出される。
【００１２】
ここで、煙流入孔は、多数の開孔により形成されたものであることが望ましい。これにより、上昇する煙が、多数の開孔のうち、いずれかの開孔から煙収容部内へ流入しやすくなるとともに、煙以外の塵芥が煙収容部内へ侵入するのを防止することができる。
【００１３】
また、煙収容部が、密閉構造の煙収容ボックスに煙流入孔を形成したものであることが望ましい。これにより、上昇した煙が煙流入口から密閉構造の煙収容ボックス内に入ると流出しないので、より早く煙収容部内が煙で満たされるようになり、より早く煙を検知することが可能となる。
【発明の効果】
【００１４】
（１）遮蔽板の上部に煙検知装置を備えたことにより、塵芥収容箱または塵芥投入箱内で火災が発生すると、煙が遮蔽板の下面に沿って上昇し、この遮蔽板の上部の煙検知装置により検知されるので、より早く火災の発生を検知することができる。
【００１５】
（２）遮蔽板が、塵芥投入箱を塵芥収容箱に対して傾動させる傾動シリンダおよび塵芥積込装置の押込シリンダの下方に設けられたものであることにより、塵芥収容箱の塵芥室内の塵芥が傾動シリンダおよび押込シリンダ側に侵入して悪影響を及ぼすことが防止される。
【００１６】
（３）遮蔽板が、塵芥積込装置の摺動板下方に設けられたものであることにより、塵芥収容箱の塵芥室内の塵芥が塵芥積込装置の摺動板側に侵入して悪影響を及ぼすことが防止される。
【００１７】
（４）遮蔽板の上部に、煙が流入可能な煙流入孔を有する煙収容部と、この煙収容部内の煙を検知する煙検知装置とを備えたことにより、煙検知装置により早く煙が検出されるようになり、より早く火災の発生を検知することが可能となる。
【００１８】
（５）煙流入孔が多数の開孔により形成されたものであることにより、上昇する煙が、多数の開孔のうち、いずれかの開孔から煙収容部内へ流入しやすくなるとともに、煙以外の塵芥が煙収容部内へ侵入するのを防止することができるので、煙検知装置による煙検知精度を高めることができる。
【００１９】
（６）煙収容部が、密閉構造の煙収容ボックスに煙流入孔を形成したものであることにより、上昇した煙が煙流入口から密閉構造の煙収容ボックス内に入ると流出しないので、より早く煙収容部内が煙で満たされるようになり、より早く煙を検知して火災の発生を検知することが可能となる。
【図面の簡単な説明】
【００２０】
【図１】本発明の実施の形態における塵芥収集車の側面図である。
【図２】図１の塵芥投入箱の内部構造を示す断面図である。
【図３】図２のＡ部の塵芥収容箱左右両側壁の中央部分の断面図である。
【図４】図３のＢ矢視図である。
【図５】図３のＣ矢視図である。
【図６】図５のＤ−Ｄ断面図である。
【図７】塵芥投入箱内に圧縮式の塵芥積込装置を備えた塵芥収集車の後部断面図である。
【発明を実施するための形態】
【００２１】
図１は本発明の実施の形態における塵芥収集車の側面図、図２は図１の塵芥投入箱の内部構造を示す断面図、図３は図２のＡ部拡大図、図４は図３のＢ矢視図、図５は図３のＣ矢視図、図６は図５のＤ−Ｄ断面図である。なお、以下の説明において、前後方向は車体の前後方向と同じ方向を指すものとし、左右方向は車体の前方に向かって左右方向を指すものとする。
【００２２】
図１において、塵芥収集車１の車体２上には塵芥収容箱３が搭載されている。この塵芥収容箱３の後端の後方開口部４には、塵芥投入箱５が連設されている。塵芥投入箱５は、後方開口部４の上方で投入箱支持ピン６により軸支されている。塵芥収容箱３と塵芥投入箱５との間には、塵芥投入箱傾動装置としての傾動シリンダ９（図２参照。）が設けられている。傾動シリンダ９は塵芥収容箱３側と塵芥投入箱５側にそれぞれ回転可能に軸支されており、この傾動シリンダ９の伸縮動作により、塵芥投入箱５は図１に仮想線で示すように投入箱支持ピン６を中心に傾動自在となっている。
【００２３】
塵芥投入箱５の後部には、投入口７が開口されている。この投入口７は、昇降可能なテールゲート（図示せず。）を降下させることにより、閉塞させることができる。図２に示すように、塵芥投入箱５の内部には、投入口７から投入された塵芥を、後方開口部４を経て塵芥収容箱３に積み込む回転式の塵芥積込装置８が装備されている。塵芥積込装置８は、車体２の前後方向に揺動する押込板１０と、この押込板１０の下端付近に回転中心を有して正逆転する回転板１１とを備えている。
【００２４】
押込板１０は、塵芥投入箱５の幅方向全体に亘って延設され、かつ後方開口部４に対向するように配設されている。この押込板１０の上部は、塵芥投入箱５の左右両側壁の中央付近の中心軸１０ａよりも上方に延びる延設部１０ｂが設けられている。この延設部１０ｂの先端には、左右一対の押込シリンダ１２の先端が連設されている。押込シリンダ１２は、その基端が投入箱支持ピン６に回動自在に支持されている。この押込シリンダ１２の伸縮動作により、押込板１０が中心軸１０ａ周りに車体２の前後方向に揺動するようになっている。
【００２５】
一方、回転板１１は、押込板１０の下側に設けられている。回転板１１は、押込板１０の下端付近に回転中心としての回転軸１１ａを有し、塵芥投入箱５の断面略半円弧状に形成された底壁５ｂに沿って回転軸１１ａ周りに回転するように構成されている。また、回転軸１１ａの一方は、正逆回転可能なモータ（図示せず。）に減速機構を介して駆動連結されており、このモータにより回転力がトルクアップされた状態で、モータと同期して正逆回転するように構成されている。
【００２６】
また、塵芥投入箱５内には、傾動シリンダ９の下側を遮蔽する遮蔽板１３が設けられている。遮蔽板１３は、塵芥投入箱５の幅方向全体に亘って延設されている。この遮蔽板１３によって、塵芥投入箱５内は、傾動シリンダ９や押込シリンダ１２などのアクチュエータが収容される側である機械室１４ａと、塵芥収容箱３の後方開口部４へ塵芥が投入される側である塵芥室１４ｂとに区分されており、塵芥室１４ｂ側の塵芥が機械室１４ａ側へ侵入しないようになっている。
【００２７】
また、この遮蔽板１３の上部には煙検知機構１５が設けられている。煙検知機構１５は、遮蔽板１３の左右中央部分に上方に向かって突設された煙収容ボックス１６と、煙収容ボックス１６内の煙を検知する煙検知装置１７とから構成されている。煙収容ボックス１６は密閉構造であるが、図３および図４に示すように、遮蔽板１３の前面側に多数の開孔が形成されたパンチング板１８が設けられている。
【００２８】
パンチング板１８は、遮蔽板１３の前面側に開口された開口部１３ａに枠状のベース部材２０を介して固定されている。枠状のベース部材２０は、遮蔽板１３の開口部１３ａよりも小さな開口部２０ａを有している。ベース部材２０は開口部１３ａの周縁部に溶接されている。パンチング板１８は、このベース部材２０に対してボルト２１ａおよびナット２１ｂにより取り外し可能に固定されている。
【００２９】
このパンチング板１８の多数の開孔は、煙が煙収容ボックス１６内に流入するための煙流入孔１９を構成しており、煙はこの煙流入孔１９、ベース部材２０の開口部２０ａおよび遮蔽板１３の開口部１３ａ通じて煙収容ボックス１６内に流入可能となっている。また、遮蔽板１３の開口部１３ａの下方には、補強用のリブ１３ｂが設けられており、遮蔽板１３が収容塵芥の反力で容易に変形しないようにしている。
【００３０】
また、図５および図６に示すように、煙検知装置１７は煙収容ボックス１６に形成された開口部１６ａを貫通して設けられている。この開口部１６ａの上面周縁部には、煙検知装置１７のカバー２２を固定するための枠状のベース部材２３が溶接されている。煙検知装置１７は、煙収容ボックス１６の内側からボルト２４により取り外し可能に固定されている。カバー２２は、煙収容ボックス１６の外側からボルト２５により取り外し可能に固定されている。なお、煙検知装置１７の上方は、塵芥投入箱５の屋根部材５ａによって覆われており、雨水で煙検知装置１７が誤作動しないようにしている。
【００３１】
このように構成された塵芥収集車１では、投入口７を通して塵芥投入箱５内に投入された塵芥は、回転板１１が正回転（図２において右回り）することにより掻き集められ、回転板１１の先端が後方開口部４の下縁の対応位置まで持ち上げられる。そして、押込板１０が後方位置から前方位置へ揺動することにより、回転板１１上の塵芥が後方開口部４を経て塵芥収容箱３内へ押し込まれる。
【００３２】
このとき、塵芥投入箱５内の塵芥が衝撃により発火すると、この煙は遮蔽板１３の下面に沿って上昇する。そして、この煙は、遮蔽板１３の上部に備えられた煙検知機構１５の煙収容ボックス１６の前面のパンチング板１８の煙流入孔１９から、この煙収容ボックス１６内へ流入する。また、塵芥収容箱３内で塵芥が発火した場合も同様に、煙は塵芥収容箱３内に充満し、煙収容ボックス１６の前面のパンチング板１８の煙流入孔１９から、煙収容ボックス１６内へ流入する。
【００３３】
このように本実施形態における塵芥収集車１では、塵芥投入箱５または塵芥収容箱３内で発生した煙は遮蔽板１３の前面側のパンチング板１８の煙流入孔１９から煙収容ボックス１６内に収容される。この煙収容ボックス１６は塵芥投入箱５および塵芥収容箱３内の容積と比較して非常に小さいので、この煙収容ボックス１６内はいち早く煙で満たされ、煙検知装置１７により早く煙が検出される。
【００３４】
特に、本実施形態における塵芥収集車１では、煙収容ボックス１６が密閉構造であるため、上昇した煙が煙収容ボックス１６内に入ると流出しないので、より早く煙収容ボックス１６内が煙で満たされるようになり、より早く煙を検知することが可能である。また、パンチング板１８はボルト２１ａおよびナット２１ｂにより取り外し可能に固定されているため、容易に取り外して清掃することが可能である。
【００３５】
また、この煙収容ボックス１６は、遮蔽板１３の上部に配置されているため、塵芥投入箱５に投入された塵芥が侵入しにくい。そのため、煙検知装置１７による誤検知が少なく、煙検知装置１７による煙検知精度が高くなっている。また、煙検知装置１７はカバー２２をボルト２５とともに取り外すことによって容易にメンテナンスを行うことができる。また、煙検知装置１７の交換は、前述のようにパンチング板１８を取り外し、煙収容ボックス１６の内側からボルト２４とともに取り外すことで容易に行うことが可能となっている。
【００３６】
なお、本実施形態においては、回転式の塵芥積込装置８を備えた塵芥収集車１について説明したが、上記煙検知機構１５は圧縮式の塵芥積込装置を備えた塵芥収集車にも適用可能である。図７は塵芥投入箱内に圧縮式の塵芥積込装置を備えた塵芥収集車の後部断面図である。
【００３７】
図７に示すように、塵芥投入箱５の内部には、圧縮式の塵芥積込装置３０が装備されている。塵芥積込装置３０は、塵芥投入箱５内に後方投入口７を通じて投入された塵芥を圧縮して、塵芥収容箱３内に積み込むものである。
【００３８】
塵芥投入箱５の左右両側壁には、溝形鋼で形成された案内溝部材３１が補強枠を兼ねて前方上部より後方下部に向かって敷設されている。塵芥投入箱５内には、その横幅いっぱいに広がる摺動板３２が収容されている。この摺動板３２の左右両測縁の上下には、案内ローラ３３が回転可能に設けられている。これらの案内ローラ３３は、案内溝部材３１の内壁に沿って転動自在に嵌入されている。
【００３９】
また、摺動板３２の背面上部の左右端部にはボス部３４が設けられている。このボス部３４には、摺動板支持軸３５が挿通されている。この摺動板支持軸３５は、塵芥投入箱５の左右両側壁に形成された摺動用開口３６を越えて塵芥投入箱５の内側より外側に突出するように配置されている。
【００４０】
また、塵芥投入箱５の左右両側壁からそれぞれ外側に突出した摺動板支持軸３５と塵芥投入箱５の下部間には、左右それぞれ塵芥投入箱５の外側に案内溝部材３１の傾斜方向に沿って配置された摺動シリンダ３７がそれぞれ連結されている。この摺動シリンダ３７の伸縮動作によって、摺動板３２は案内溝部材３１に沿って上下に往復移動する。
【００４１】
摺動板３２の下端には、塵芥投入箱５の横幅いっぱいに広がる圧縮板３８が前後方向に揺動自在に支持されている。この圧縮板３８の先端は前方に向かって若干屈曲形成されている。また、圧縮板３８の左右両背面には接続部３８ａが突設されている。この左右それぞれの接続部３８ａと、摺動板３２の背面上部に設けられた摺動板支持軸３５の左右両端部との間には、それぞれ揺動シリンダ３９が連結されている。この揺動シリンダ３９の伸縮作動によって、圧縮板３８は前後に揺動する。
【００４２】
このような圧縮式の塵芥積込装置３０では、まず、図７に示す状態から揺動シリンダ３９が縮退作動して圧縮板３８が反転作動し、反転終了位置に達する（反転工程）。この後、摺動シリンダ３７が縮退作動して摺動板３２が下降し、これに伴って圧縮板３８が下降する（下降工程）。そして、圧縮板３８が下降終了位置に達すると、揺動シリンダ３９を伸長させて圧縮板３８を前方に揺動させ、圧縮工程に移行する。
【００４３】
そして、圧縮板３８が圧縮終了位置まで揺動する（圧縮行程）と、摺動シリンダ３７を伸長させて圧縮板３８を上昇させる（上昇工程）。この圧縮板３８が図７に示す上昇終了位置に達すると、一連の積込動作を終了する。これにより反転、下降、圧縮、上昇の各工程を１サイクルとして塵芥積込動作を繰り返して行うことができる。
【００４４】
このような圧縮式の塵芥積込装置３０を備えた塵芥収集車の場合、塵芥積込装置３０の摺動板３２の下方に遮蔽板４０を設け、この遮蔽板４０の上部に煙検知機構１５を設けている。煙検知機構１５は、前述のものと同じ構成である。
【００４５】
この場合も同様に、塵芥投入箱５内の塵芥が衝撃により発火すると、この煙は遮蔽板４０の下面に沿って上昇する。そして、この煙は、遮蔽板４０の上部に備えられた煙検知機構１５の煙収容ボックス１６の前面のパンチング板１８の煙流入孔１９から、この煙収容ボックス１６内へ流入し、煙検知装置１７により検知される。塵芥収容箱３内で塵芥が発火した場合も同様である。
【産業上の利用可能性】
【００４６】
本発明は、塵芥を塵芥収容箱内に収容する塵芥収集車として有用である。特に、本発明は、火災発生時により早く火災の発生を検知して初期段階での消火が可能な塵芥収集車として好適である。
【符号の説明】
【００４７】
１  塵芥収集車
２  車体
３  塵芥収容箱
４  後方開口部
５  塵芥投入箱
５ａ  屋根部材
５ｂ  底壁
６  投入箱支持ピン
７  投入口
８  塵芥積込装置
９  傾動シリンダ
１０  押込板
１１  回転板
１２  押込シリンダ
１３  遮蔽板
１３ａ  開口部
１４ａ  機械室
１４ｂ  塵芥室
１５  煙検知機構
１６  煙収容ボックス
１７  煙検知装置
１８  パンチング板
１９  煙流入孔
２０  ベース部材
２０ａ  開口部
２１ａ  ボルト
２１ｂ  ナット
２２  カバー
２３  ベース部材
２４，２５  ボルト
３０  塵芥積込装置
３１  案内溝部材
３２  摺動板
３３  案内ローラ
３４  ボス部
３５  摺動板支持軸
３６  摺動用開口
３７  摺動シリンダ
３８  圧縮板
３９  揺動シリンダ
【図１】
2010235306.tif 000003
【図２】
2010235306.tif 000004
【図３】
2010235306.tif 000005
【図４】
2010235306.tif 000006
【図５】
2010235306.tif 000007
【図６】
2010235306.tif 000008
【図７】
2010235306.tif 000009